(57)【特許請求の範囲】
【請求項１】
少なくとも２つのレベルの会員のために処理を行うコンピュータシステムであって、前記コンピュータシステムは、
個人が契約を締結した場合において、前記個人を第１のレベルの会員として登録する手段であって、前記第１のレベルの会員は、ポイントを第１のレベルの使用条件下で使用することが可能であり、前記契約は、前記個人の収入を証明するための収入証明データを少なくとも必要とする、手段と、
前記個人が前記契約を締結していない場合において、前記収入証明データを受信したことに応答して、前記個人を第２のレベルの会員として登録する手段であって、前記第２のレベルの会員は、前記ポイントを前記第１のレベルの使用条件よりも制限された第２のレベルの使用条件下で使用することが可能である、手段と、
前記個人が前記契約を締結していない場合において、前記個人の身分を証明するための身分証明データを受信したことに応答して、前記個人を第３のレベルの会員として登録する手段であって、前記第３のレベルの会員は、前記ポイントを前記第２のレベルの使用条件よりも制限された第３のレベルの使用条件下で使用することが可能である、手段と
を含む、コンピュータシステム。
【請求項２】
前記コンピュータシステムは、会員データベース部に接続されており、
前記コンピュータシステムは、前記個人が前記契約を締結したことに応答して、前記個人に関連付けられた状態で前記収入証明データを前記会員データベース部に格納する手段をさらに含む、請求項１に記載のコンピュータシステム。
【請求項３】
前記コンピュータシステムは、前記個人が前記契約を締結したことに応答して、または、前記個人が前記契約を更新したことに応答して、前記会員データベース部に格納されている前記個人に関連付けられたデータを更新することが可能であるように構成されている、請求項２に記載のコンピュータシステム。
【請求項４】
前記コンピュータシステムは、会員データベース部に接続されており、
前記コンピュータシステムは、前記収入証明データを受信したことに応答して、前記個人に関連付けられた状態で前記収入証明データを前記会員データベース部に格納する手段をさらに含む、請求項１に記載のコンピュータシステム。
【請求項５】
前記コンピュータシステムは、所定のタイミングで前記会員データベース部に格納されているデータを更新することが可能であるように構成されている、請求項４に記載のコンピュータシステム。
【請求項６】
前記コンピュータシステムは、会員データベース部に接続されており、
前記コンピュータシステムは、前記身分証明データを受信したことに応答して、前記個人に関連付けられた状態で前記身分証明データを前記会員データベース部に格納する手段をさらに含む、請求項１に記載のコンピュータシステム。
【請求項７】
前記コンピュータシステムは、前記会員の登録から所定の時間が経過すると前記会員に関連付けられたポイントを失効させる手段をさらに含む、請求項１〜６のいずれか一項に記載のコンピュータシステム。
【請求項８】
前記コンピュータシステムは、ウェブサイトを提供するように構成されており、
前記会員は、前記ウェブサイトに登録された会員である、請求項１〜７のいずれか一項に記載のコンピュータシステム。
【請求項９】
前記ウェブサイトは、少なくとも１つの記事を掲載するためのものであり、
前記コンピュータシステムは、前記会員が前記ウェブサイトに掲載された前記少なくとも１つの記事のうちの１つを既読にしたまたは評価したことを示す信号を受信したことに応答して、前記会員に関連付けられたポイントを増加させる手段をさらに含む、請求項８に記載のコンピュータシステム。
【請求項１０】
少なくとも２つのレベルの会員のために処理を行うコンピュータシステムにおいて実行される方法であって、前記コンピュータシステムは、プロセッサ部を含み、前記方法は、
個人が契約を締結した場合において、前記プロセッサ部が、前記個人を第１のレベルの会員として登録することであって、前記第１のレベルの会員は、ポイントを第１のレベルの使用条件下で使用することが可能であり、前記契約は、前記個人の収入を証明するための収入証明データを少なくとも必要とする、ことと、
前記個人が前記契約を締結していない場合において、前記プロセッサ部が、前記収入証明データを受信したことに応答して、前記個人を第２のレベルの会員として登録することであって、前記第２のレベルの会員は、前記ポイントを前記第１のレベルの使用条件よりも制限された第２のレベルの使用条件下で使用することが可能である、ことと、
前記個人が前記契約を締結していない場合において、前記プロセッサ部が、前記個人の身分を証明するための身分証明データを受信したことに応答して、前記個人を第３のレベルの会員として登録することであって、前記第３のレベルの会員は、前記ポイントを前記第２のレベルの使用条件よりも制限された第３のレベルの使用条件下で使用することが可能である、ことと
を含む、方法。
【請求項１１】
少なくとも２つのレベルの会員のために処理を行うコンピュータシステムにおいて実行されるプログラムであって、前記コンピュータシステムは、プロセッサ部を含み、前記プログラムは、前記プロセッサ部によって実行されると、
個人が契約を締結した場合において、前記個人を第１のレベルの会員として登録することであって、前記第１のレベルの会員は、ポイントを第１のレベルの使用条件下で使用することが可能であり、前記契約は、前記個人の収入を証明するための収入証明データを少なくとも必要とする、ことと、
前記個人が前記契約を締結していない場合において、前記収入証明データを受信したことに応答して、前記個人を第２のレベルの会員として登録することであって、前記第２のレベルの会員は、前記ポイントを前記第１のレベルの使用条件よりも制限された第２のレベルの使用条件下で使用することが可能である、ことと、
前記個人が前記契約を締結していない場合において、前記個人の身分を証明するための身分証明データを受信したことに応答して、前記個人を第３のレベルの会員として登録することであって、前記第３のレベルの会員は、前記ポイントを前記第２のレベルの使用条件よりも制限された第３のレベルの使用条件下で使用することが可能である、ことと
を含む処理を実行することを前記プロセッサ部に行わせる、プログラム。
【発明の詳細な説明】
【技術分野】
【０００１】
本発明は、少なくとも２つのレベルの会員のために処理を行うコンピュータシステム、そのコンピュータシステムにおいて実行される方法およびプログラムに関する。
【背景技術】
【０００２】
従来から、利用者が何らかのサービスを受ける前に利用者が会員登録することが必要とされる場合があることが知られている。
【０００３】
例えば、物品をレンタルするレンタルショップでは、利用者が物品をレンタルする前にレンタルショップの会員となることが求められる。利用者の会員登録のために、利用者は運転免許証などの身分証明書の提示を求められる。利用者の身分証明書のデータはデータセンターで管理される（例えば、特許文献１を参照）。
【先行技術文献】
【特許文献】
【０００４】
【特許文献１】特開２００３−１５７３９９号公報
【発明の概要】
【発明が解決しようとする課題】
【０００５】
しかしながら、利用者の会員登録のために、利用者が運転免許証などの身分証明書よりも高いレベルの個人情報を提出することを求められることはなく、ましてや、そのような従来よりも高いレベルの個人情報によって身元保証された会員の数の増加を促進することを意図した手法は存在しない。
【０００６】
本発明は、従来よりも高いレベルの個人情報によって身元保証された会員の数の増加を促進することを可能にするコンピュータシステム、そのコンピュータシステムにおいて実行される方法およびプログラムを提供することを目的とする。
【課題を解決するための手段】
【０００７】
本発明の１つの局面において、本発明のコンピュータシステムは、少なくとも２つのレベルの会員のために処理を行うコンピュータシステムであって、前記コンピュータシステムは、契約を締結した第１の個人を第１のレベルの会員として登録する手段であって、前記第１のレベルの会員は、ポイントを第１のレベルの使用条件下で使用することが可能であり、前記契約は、前記第１の個人の収入を証明するための収入証明データを少なくとも必要とする、手段と、前記契約を締結していない第２の個人の収入を証明するための収入証明データを受信したことに応答して、前記第２の個人を第２のレベルの会員として登録する手段であって、前記第２のレベルの会員は、前記ポイントを前記第１のレベルの使用条件よりも制限された第２のレベルの使用条件下で使用することが可能である、手段とを含む。
【０００８】
本発明の１つの実施形態では、前記コンピュータシステムは、前記契約を締結していない第３の個人の身分を証明するための身分証明データを受信したことに応答して、前記第３の個人を第３のレベルの会員として登録する手段であって、前記第３のレベルの会員は、前記ポイントを前記第２のレベルの使用条件よりも制限された第３のレベルの使用条件下で使用することが可能である、手段をさらに含む。
【０００９】
本発明の１つの実施形態では、前記コンピュータシステムは、会員データベース部に接続されており、前記コンピュータシステムは、前記第１の個人に関連付けられた状態で前記第１の個人の前記収入証明データを前記会員データベース部に格納する手段をさらに含む。
【００１０】
本発明の１つの実施形態では、前記コンピュータシステムは、前記第１の個人が前記契約を締結したことに応答して、または、前記第１の個人が前記契約を更新したことに応答して、前記会員データベース部に格納されている前記第１の個人に関連付けられたデータを更新することが可能であるように構成されている。
【００１１】
本発明の１つの実施形態では、前記コンピュータシステムは、会員データベース部に接続されており、前記コンピュータシステムは、前記第２の個人に関連付けられた状態で前記第２の個人の前記収入証明データを前記会員データベース部に格納する手段をさらに含む。
【００１２】
本発明の１つの実施形態では、前記コンピュータシステムは、所定のタイミングで前記会員データベース部に格納されているデータを更新することが可能であるように構成されている。
【００１３】
本発明の１つの実施形態では、前記コンピュータシステムは、会員データベース部に接続されており、前記コンピュータシステムは、前記第３の個人に関連付けられた状態で前記第３の個人の前記身分証明データを前記会員データベース部に格納する手段をさらに含む。
【００１４】
本発明の１つの実施形態では、前記コンピュータシステムは、前記会員の登録から所定の時間が経過すると前記会員に関連付けられたポイントを失効させる手段をさらに含む。
【００１５】
本発明の１つの実施形態では、前記コンピュータシステムは、ウェブサイトを提供するように構成されており、前記会員は、前記ウェブサイトに登録された会員である。
【００１６】
本発明の１つの実施形態では、前記ウェブサイトは、少なくとも１つの記事を掲載するためのものであり、前記コンピュータシステムは、前記会員が前記ウェブサイトに掲載された前記少なくとも１つの記事のうちの１つを既読にしたまたは評価したことを示す信号を受信したことに応答して、前記会員に関連付けられたポイントを増加させる手段をさらに含む。
【００１７】
本発明の１つの局面において、本発明の方法は、少なくとも２つのレベルの会員のために処理を行うコンピュータシステムにおいて実行される方法であって、前記コンピュータシステムは、プロセッサ部を含み、前記方法は、前記プロセッサ部が、契約を締結した第１の個人を第１のレベルの会員として登録することであって、前記第１のレベルの会員は、ポイントを第１のレベルの使用条件下で使用することが可能であり、前記契約は、前記第１の個人の収入を証明するための収入証明データを少なくとも必要とする、ことと、前記プロセッサ部が、前記契約を締結していない第２の個人の収入を証明するための収入証明データを受信したことに応答して、前記第２の個人を第２のレベルの会員として登録することであって、前記第２のレベルの会員は、前記ポイントを前記第１のレベルの使用条件よりも制限された第２のレベルの使用条件下で使用することが可能である、こととを含む、方法。
【００１８】
本発明の１つの局面では、本発明のプログラムは、少なくとも２つのレベルの会員のために処理を行うコンピュータシステムにおいて実行されるプログラムであって、前記コンピュータシステムは、プロセッサ部を含み、前記プログラムは、前記プロセッサ部によって実行されると、契約を締結した第１の個人を第１のレベルの会員として登録することであって、前記第１のレベルの会員は、ポイントを第１のレベルの使用条件下で使用することが可能であり、前記契約は、前記第１の個人の収入を証明するための収入証明データを少なくとも必要とする、ことと、前記契約を締結していない第２の個人の収入を証明するための収入証明データを受信したことに応答して、前記第２の個人を第２のレベルの会員として登録することであって、前記第２のレベルの会員は、前記ポイントを前記第１のレベルの使用条件よりも制限された第２のレベルの使用条件下で使用することが可能である、こととを含む処理を実行することを前記プロセッサ部に行わせる。
【発明の効果】
【００１９】
本発明によれば、従来よりも高いレベルの個人情報によって身元保証された会員の数の増加を促進することを可能にするコンピュータシステム、そのコンピュータシステムにおいて実行される方法およびプログラムを提供することが可能になる。
【図面の簡単な説明】
【００２０】
【図１Ａ】新しい会員モデルの一例を説明するための図
【図１Ｂ】図１Ａに示される新しい会員モデルに基づいて会員を登録するための手順の一例を示す図
【図２Ａ】新しい会員モデルの他の一例を説明するための図
【図２Ｂ】図２Ａに示される新しい会員モデルに基づいて会員を登録するための手順の一例を示す図
【図３】新しい会員モデルの利用形態を説明するための図
【図４】新しい会員モデルを実現するためのコンピュータシステム１０の構成の一例を示す図
【図５Ａ】会員データベース部７１によって管理されている会員に関連する情報の構成の一例を示す図
【図５Ｂ】ポイントデータベース部７２によって管理されているポイントに関連する情報の構成の一例を示す図
【図５Ｃ】ウェブサイトデータベース部７３によって管理されているウェブサイトに関連する情報の構成の一例を示す図
【図６Ａ】「正会員の登録」に関連してコンピュータシステム１０内で実行される処理の一例を示す図
【図６Ｂ】「準会員の登録」に関連してコンピュータシステム１０内で実行される処理の一例を示す図
【図６Ｃ】「一般会員の登録」に関連してコンピュータシステム１０内で実行される処理の一例を示す図
【図６Ｄ】「ポイントの失効」に関連してコンピュータシステム１０内で実行される処理の一例を示す図
【図６Ｅ】「ポイントの加算」に関連してコンピュータシステム１０内で実行される処理の一例を示す図
【図６Ｆ】「ポイントの換金」に関連してコンピュータシステム１０内で実行される処理の一例を示す図
【発明を実施するための形態】
【００２１】
本明細書において、「収入証明データ」とは、第三者（好ましくは、公的機関）によって証明された、個人の収入に関するデータをいう。収入証明データとしては、例えば、源泉徴収票、課税証明書などのデータが挙げられるが、これらに限定されない。
【００２２】
本明細書において、「身分証明データ」とは、第三者（好ましくは、公的機関）によって証明された、個人の身分に関するデータをいう。身分証明データとしては、例えば、運転免許証、健康保険証、社会保険証、社員証などのデータが挙げられるが、これらに限定されない。本明細書における身分証明データは、収入証明データを含まない。
【００２３】
本明細書において、「個人情報データ」とは、個人によって申告される任意の個人情報に関するデータをいう。個人情報データは、例えば、氏名、性別、生年月日、住所、電話番号、メールアドレスなどのデータを含む。
【００２４】
本明細書において、「個人情報」とは、上記の収入証明データ、身分証明データ、個人情報データを含む、個人に関する任意の情報をいう。
【００２５】
本明細書において、「ポイント」とは、物品、サービス、現金のうちの少なくとも１つと交換することが可能なものをいう。
【００２６】
以下、図面を参照しながら、本発明の実施の形態を説明する。
１．新しい会員モデル
出願人は、新しい会員モデルを提案する。この新しい会員モデルは、従来よりも高いレベルの個人情報によって身元保証された会員の数の増加を促進するという画期的な発想に基づいている。
【００２７】
図１Ａは、新しい会員モデルの一例を説明するための図である。図１Ａに示される例では、会員が「正会員」、「準会員」という２つのレベルに分類されている。「正会員」が上位のレベルの会員であり、「準会員」が下位のレベルの会員である。
【００２８】
「正会員」は、ポイントを第１のレベルの使用条件下で使用することが可能である会員である。
【００２９】
「準会員」は、ポイントを第２のレベルの使用条件下で使用することが可能である会員である。
【００３０】
ここで、第１のレベルの使用条件および第２のレベルの使用条件は、第２のレベルの使用条件が第１のレベルの使用条件よりも制限されたものである限り、任意の使用条件であり得る。例えば、第１のレベルの使用条件は、ポイントを物品、サービスおよび現金のいずれとも交換できるものであるのに対して、第２のレベルの使用条件は、ポイントを物品またはサービスとは交換できるが現金とは交換できないものであり得る。より具体的な実施形態において、ポイントを第２のレベルの使用条件下で使用することは、例えば、ポイントの使用目的の制限付きでポイントを使用することを含み、ポイントを第１のレベルの使用条件下で使用することは、例えば、ポイントの使用目的を制限することなく、ポイントの換金を含めて利用可能なすべての態様でポイントを使用することを含む。ポイントの使用目的の制限付きとは、例えば、ポイントをイベント（コンサート、映画、演劇など）の入場券と交換することはできるが、ポイントを換金することはできないことを含む。
【００３１】
なお、「正会員」、「準会員」によって使用されるポイントは、個人が「正会員」または「準会員」として登録されたことを契機として会員運営企業によって付与が開始されたポイントであることが好ましいがこれに限定されない。「正会員」、「準会員」によって使用されるポイントは、どのようにして貯められたポイントであるかを問わないものとする。例えば、「正会員」、「準会員」によって使用されるポイントは、個人が「正会員」または「準会員」として登録されるか否かにかかわらず会員運営企業以外の企業によって付与されたポイントであってもよい。
【００３２】
ポイントは、会員運営会社によって管理運営される専用のポイントであってもよいし、会員運営企業以外の任意の企業によって管理運営される共通のポイントであってもよい。
【００３３】
各会員のポイントは、例えば、後述するポイントデータベース部によって管理され得る。ポイントデータベース部には、各会員に関連付けられた状態で各会員のポイントが格納される。
【００３４】
図１Ｂは、図１Ａに示される新しい会員モデルに基づいて会員を登録するための手順の一例を示す。ここで、会員の運営は、会員運営企業（または、会員運営者）によって行われるものとする。
【００３５】
ステップＳ１：契約相手先企業との契約を締結することを希望する個人Ａは、個人Ａの収入証明データを少なくとも契約相手先企業に提出することが必要とされる。この契約は、個人Ａの収入証明データを少なくとも必要とするものであるからである。
【００３６】
ここで、「契約相手先企業」の一例は、不動産仲介を業として行う企業（以下、「不動産仲介企業」という）であるがこれには限定されない。「契約」の一例は、アパートなどの不動産の賃貸契約であるがこれには限定されない。上述した「契約」は、個人Ａの収入証明データを少なくとも必要とするものである限り、任意の契約であり得る。
【００３７】
なお、上述した「契約」は、個人Ａの収入証明データに加えて、個人Ａの身分証明データを必要とするものであってもよい。この場合、個人Ａは、個人Ａの収入証明データに加えて、個人Ａの身分証明データを契約相手先企業に提出することが必要とされる。あるいは、上述した「契約」は、個人Ａの収入証明データおよび個人Ａの身分証明データに加えて、個人Ａの個人情報データを必要とするものであってもよい。この場合、個人Ａは、個人Ａの収入証明データおよび個人Ａの身分証明データに加えて、個人Ａの個人情報データを契約相手先企業に提出することが必要とされる。
【００３８】
ステップＳ２：契約相手先企業は、少なくとも個人Ａの収入証明データを会員運営企業に転送する。ただし、契約相手先企業が会員運営企業と同一である（あるいは、契約相手先企業が会員運営企業としての業務を行う）場合には、ステップＳ２は不要である。
【００３９】
ステップＳ３：会員運営企業は、契約相手先企業との契約を締結した個人Ａを「正会員」として登録する。このように、契約相手先企業との契約を締結した個人Ａは、「正会員」として自動的に登録される。従って、契約相手先企業との契約を締結した個人Ａは、その契約とは別個に会員運営企業に対して「正会員」の登録手続を行う必要はない。個人Ａによって提出されたデータは、後述する会員データベース部に格納される。
【００４０】
ステップＳ４：契約相手先企業との契約を締結していないが「準会員」として登録されることを希望する個人Ｂは、個人Ｂの収入証明データを少なくとも会員運営企業に提出する。
【００４１】
ここで、収入証明データの提出の態様は問わない。例えば、個人Ｂが、収入証明書のコピーを会員運営企業に郵送またはＦＡＸし、会員運営企業の社員が収入証明書のコピーを見ながら端末装置を用いて収入証明書のデータを入力することによって収入証明データを生成するようにしてもよいし、会員運営企業の社員が収入証明書のコピーをスキャンすることによって（もしくは、収入証明書のコピーをスキャンしたものを変換することによって）収入証明データを生成するようにしてもよい。あるいは、会員運営企業が運営するウェブサイトが存在する場合には、個人Ｂが収入証明書をスキャンしたもの（もしくは、収入証明書をスキャンしたものを変換したもの）をウェブサイトに送信するようにしてもよい。あるいは、会員運営企業が直営店舗または契約店舗などの実店舗を有している場合には、個人Ｂがその店舗を訪問しその実店舗において収入証明書のコピーを提出するようにしてもよい。
【００４２】
なお、個人Ｂは、個人Ｂの収入証明データに加えて、個人Ｂの身分証明データを会員運営企業に提出するようにしてもよい。あるいは、個人Ｂは、個人Ｂの収入証明データおよび個人Ｂの身分証明データに加えて、個人Ｂの個人情報データを会員運営企業に提出するようにしてもよい。ここで、身分証明データおよび個人情報データの提出の態様は問わない。
【００４３】
ステップＳ５：会員運営企業は、個人Ｂによって提出されたデータに基づいて、個人Ｂを「準会員」として登録する。個人Ｂによって提出されたデータは、後述する会員データベース部に格納される。
【００４４】
なお、上述したステップＳ１において、個人Ａが「準会員」として既に登録されている場合には、収入証明データの提出を省略するようにしてもよい。あるいは、個人Ａが「準会員」として登録されてから所定の期間（例えば、２年）が経過している場合には、収入証明データを改めて提出するように個人Ａに求めるようにしてもよい。
【００４５】
上述した「準会員」、「正会員」の定義によれば、近い将来に契約をすることを視野に入れている個人は、契約を実際に締結した際に「正会員」になるよりも前に直ちに「準会員」になっておく方が得策であると考える可能性が高い。なぜなら、「準会員」になることによって、「正会員」のポイントの使用条件よりも制限された使用条件が課されるものの、ポイントを使用することができるからである。さらに、「準会員」になることによって、ポイントを貯めることができる場合には、将来「正会員」になったときに準会員のポイントの使用条件よりも制限が緩和された使用条件下でそのポイントを使用することができるからである。さらに、この新しい会員モデルによれば、個人が「収入証明データ」という高いレベルの個人情報を提出しなければならないという通常では障壁になりかねない高いハードルを比較的容易にクリアすることが可能である。なぜなら、契約を締結する際に「収入証明データ」を提出することが必要とされることから、近い将来に契約をすることを視野に入れている個人にとって「収入証明データ」を早目に提出することはそれほど抵抗のあることではなくむしろ「準会員」に早目になることによって得られるポイント特典の方が魅力的に映るからである。このようにして、この新しい会員モデルによれば、「収入証明データ」という高いレベルの個人情報によって身元保証された「準会員」の数の増加を促進することが可能である。
【００４６】
図２Ａは、新しい会員モデルの他の一例を説明するための図である。図２Ａに示される例では、会員が「正会員」、「準会員」、「一般会員」という３つのレベルに分類されている。「一般会員」は、「準会員」よりも下位のレベルの会員である。
【００４７】
「正会員」、「準会員」の定義は、図１Ａを参照して説明したとおりであるので、ここでは、その説明を省略する。
【００４８】
「一般会員」は、ポイントを第３のレベルの使用条件下で使用することが可能である会員である。この第３のレベルは、第２のレベルよりも制限されたものであれば任意のものであってよい。例えば、第２のレベルは、ポイントを物品またはサービスとは交換できるが現金と交換することができないものであり、第３のレベルは、ポイントをサービスとは交換できるが物品または現金と交換することができないものであってもよい。具体的な実施形態においては、第３のレベルは、ポイントを使用することが可能でないものであってもよい。
【００４９】
なお、「一般会員」によって使用されるポイントは、個人が「一般会員」として登録されたことを契機として会員運営企業によって付与が開始されたポイントであることが好ましいがこれに限定されない。「一般会員」によって使用されるポイントは、どのようにして貯められたポイントであるかを問わないものとする。例えば、「一般会員」によって使用されるポイントは、個人が「一般会員」として登録されるか否かにかかわらず会員運営企業以外の企業によって付与されたポイントであってもよい。
【００５０】
ポイントは、会員運営会社によって管理運営される専用のポイントであってもよいし、会員運営企業以外の任意の企業によって管理運営される共通のポイントであってもよい。
【００５１】
各会員のポイントは、例えば、後述するポイントデータベース部によって管理され得る。ポイントデータベース部には、各会員に関連付けられた状態で各会員のポイントが格納される。
【００５２】
図２Ｂは、図２Ａに示される新しい会員モデルに基づいて会員を登録するための手順の一例を示す。ここで、会員の運営は、会員運営企業（または、会員運営者）によって行われるものとする。
【００５３】
ステップＳ１〜Ｓ５は、図１Ｂを参照して説明したのと同様である。
【００５４】
ステップＳ６：契約相手先企業との契約を締結していないが「一般会員」として登録されることを希望する個人Ｃは、個人Ｃの身分証明データを少なくとも会員運営企業に提出する。
【００５５】
なお、個人Ｃは、個人Ｃの身分証明データに加えて、個人Ｃの個人情報データを会員運営企業に提出するようにしてもよい。ここで、身分証明データおよび個人情報データの提出の態様は問わない。
【００５６】
ステップＳ７：会員運営企業は、個人Ｃによって提出されたデータに基づいて、個人Ｃを「一般会員」として登録する。個人Ｃによって提出されたデータは、後述する会員データベース部に格納される。
【００５７】
このように、上述した「一般会員」の定義によれば、近い将来に契約をすることを視野に入れていない個人であっても「一般会員」とすることが可能である。いったん「一般会員」としておけば、「一般会員」は、ポイント特典を考慮して将来的に「準会員」、「正会員」に昇格したいと考える可能性が高い。このように、「一般会員」の数を増加させることは、将来の「準会員」、「正会員」の候補の数を増加させるという意味において有用であるといえる。
【００５８】
さらに、ポイントが所定の値（例えば、１０，０００ポイント）を超えた場合には、「正会員」からのリクエストに応答して、その所定の値に相当する現金（例えば、１０００円）が「正会員」の指定口座に振り込まれるようにしてもよい。あるいは、ポイントが所定の値（例えば、１０，０００ポイント）を超えると、「正会員」からのリクエストの有無にかかわらず自動的に、その所定の値に相当する現金（例えば、１０００円）が「正会員」の指定口座に振り込まれるようにしてもよい。このような「正会員」のキャッシュバック体験が広がる（例えば、ネットワーク上で拡散する）ことにより、「準会員」、「一般会員」が「正会員」に昇格することに対するモチベーションを高めることが可能である。
【００５９】
以下の説明では、会員の一例として「不動産仲介企業の会員」を例にとり、契約相手先企業の一例である「不動産仲介企業」が「会員運営企業」としての業務を行うことにより、従来よりも高いレベルの個人情報によって身元保証された「不動産仲介企業の会員」の数の増加を促進する場合を説明する。この場合、上述した「契約」は、例えば、個人と不動産仲介企業との間で締結される、アパートなどの不動産の賃貸契約であるがこれに限定されない。収入証明データを少なくとも必要とする契約である限り、上述した「契約」は、任意の契約であり得る。本発明が対象とする会員は「不動産仲介企業の会員」に限定されない。本発明は、従来よりも高いレベルの個人情報によって身元保証された任意の組織の会員の数の増加を促進する場合に広く適用することが可能である。
【００６０】
２．新しい会員モデルの利用形態
図３は、新しい会員モデルの利用形態を説明するための図である。以下、各ステップについて詳しく説明する。
【００６１】
ステップＳ１０：広告掲載企業は、ウェブサイトに掲載されるべき広告をウェブサイトに提供する。これにより、広告掲載企業によって提供される広告がウェブサイトに掲載される。広告をウェブサイトに掲載する料金は、有料である。これにより、会員運営企業は、広告掲載企業から広告収入を得ることができる。なお、ウェブサイトの内容およびそこに掲載される広告は、下記の「契約」に関連するものであってもよいし、関連しないものであってもよい。
【００６２】
会員（図１Ａに示される「正会員」、「準会員」、または、図２Ａに示される「正会員」、「準会員」、「一般会員」）は、このウェブサイトに事前に会員登録をしておくものとする。これにより、ウェブサイトの管理者は、会員の個人情報を把握することが可能である。
【００６３】
ステップＳ２０：会員は、端末装置を用いて、ウェブサイトにログインする。このようなログインは、例えば、ウェブサイトのページをインターネットを介して端末装置に表示させ、端末装置に表示されたページに対して会員が会員番号および／または暗証番号を入力することによって達成される。
【００６４】
ステップＳ３０：会員は、端末装置を用いて、ウェブサイトに掲載されている記事や広告にアクセスする。ここで、ウェブサイトに掲載される記事や広告のうちの少なくともいくつかは、ログインした会員によってアクセスされると（例えば、既読にされたり評価されたりすると）ポイントが貯まるように構成されていてもよい。例えば、会員は、ウェブサイトに掲載されている記事や広告をクリックすることによってポイントを貯めることが可能である。さらに、会員は、ウェブサイトに掲載されたアンケートに答えること、ウェブサイト上で募集されたイベント（例えば、試食会イベント）に参加すること等によってもポイントを貯めることが可能である。
【００６５】
このように、会員は、このウェブサイトへのアクセスに関連してポイントを貯めることが可能である。これにより、会員によるウェブサイトへのアクセス数を増大させることができる。その結果、ウェブサイトの価値を向上させることが可能である。また、「身分証明データ」によって身元保証された「一般会員」や「身分証明データ」および「収入証明データ」によって身元保証された「準会員」、「正会員」によるウェブサイトへのアクセス数を増大させることによって、ウェブサイトの価値をさらに向上させることが可能である。
【００６６】
ステップＳ４０：広告掲載企業は、会員運営企業に広告の掲載料を支払う。広告の掲載料は、ウェブサイトへのアクセス数やウェブサイトの価値に応じて変動する従量制で決められるのが通常であるから、ウェブサイトへのアクセス数が増大すればするほど、ウェブサイトの価値が向上すればするほど、会員運営企業は、広告掲載企業からより多くの広告掲載料を徴収することが可能である。
【００６７】
このように、新しい会員モデルを利用して、身元保証された会員によるウェブサイトへのアクセス数を増加させることにより、広告のターゲット効果を高くすることが可能である。その結果、広告の費用対効果を高くすることが可能である。
【００６８】
なお、ウェブサイトを提供するウェブサーバとして機能するコンピュータシステムがウェブサイトデータベース部に接続されている場合に、そのコンピュータシステムが、会員がウェブサイトに掲載されている記事のうちのどの記事にアクセスしたかを検出することにより、その会員の挙動または嗜好を特定することが可能である。このようにして特定された会員の挙動または嗜好は、ウェブサイトデータベース部に格納される。このウェブサイトデータベース部を商業データベースとして有償で企業の使用に供することが可能である。
【００６９】
また、会員データベース部には、「一般会員」に関連付けられた「身分証明データ」が少なくとも格納されている。この会員データベース部を商業データベースとして有償で企業の使用に供することが可能である。
【００７０】
また、会員データベース部には、「準会員」に関連付けられた「収入証明データ」が少なくとも格納されている。同様に、会員データベース部には、「正会員」に関連付けられた「収入証明データ」が少なくとも格納されている。この会員データベース部を商業データベースとして有償で企業の使用に供することが可能である。
【００７１】
３．新しい会員モデルを実現するためのコンピュータシステムの構成
図４は、新しい会員モデルを実現するためのコンピュータシステム１０の構成の一例を示す。
【００７２】
コンピュータシステム１０は、インターネット２０を介して、少なくとも１つの端末装置３０に接続することが可能なように構成されている。端末装置３０は、インターネット２０を介してコンピュータシステム１０と通信することが可能な任意の端末であり得る。端末装置３０は、会員登録されていない個人、会員、契約相手先企業の社員、または、会員運営企業の社員によって使用されることが可能である。端末装置３０は、例えば、スマートフォンであってもよいし、タブレット型の端末であってもよいし、パーソナルコンピュータであってもよい。
【００７３】
コンピュータシステム１０は、インターフェース部４０とプロセッサ部５０とメモリ部６０とを含む。
【００７４】
インターフェース部４０は、少なくとも１つの端末装置３０との通信を制御する。
【００７５】
プロセッサ部５０は、コンピュータシステム１０の全体の動作を制御する。
【００７６】
メモリ部６０には、処理を実行するために必要とされるプログラムやそのプログラムの実行に必要とされるデータ等が格納されている。ここで、プログラムをどのようにしてメモリ部６０に格納するかは問わない。例えば、プログラムは、メモリ部６０にプリインストールされていてもよい。あるいは、プログラムは、インターネット２０などのネットワークを介してダウンロードされることによってメモリ部６０にインストールされるようにしてもよいし、光ディスクやＵＳＢなどの記憶媒体を介してメモリ部６０にインストールされるようにしてもよい。メモリ部６０に格納されているプログラムは、例えば、ウェブサーバプログラムである。プロセッサ部５０は、メモリ部６０に格納されているウェブサーバプログラムを読み出し、そのウェブサーバプログラムを実行する。これにより、コンピュータシステム１０は、ウェブサイトを提供するウェブサーバとして機能することが可能になる。
【００７７】
コンピュータシステム１０は、データベース部７０に接続されている。データベース部７０は、会員データベース部７１と、ポイントデータベース部７２と、ウェブサイトデータベース部７３とを含む。
【００７８】
なお、図４に示されるインターフェース部４０、プロセッサ部５０、メモリ部６０のそれぞれの構成要素は、単一のハードウェア部品で構成されていてもよいし、複数のハードウェア部品で構成されていてもよい。コンピュータシステム１０の構成は、特定のハードウェア構成には限定されない。
【００７９】
また、図４に示される実施の形態では、コンピュータシステム１０と少なくとも１つの端末装置３０とは、インターネット２０を介して接続されることが可能であるとしたが、本発明はこれに限定されない。インターネット２０の代わりに任意のタイプのネットワークを用いることも可能である。なお、ネットワーク２０およびその代わりの任意のネットワークを介することなく、少なくとも１つの端末装置３０をコンピュータシステム１０に電気的に結合した構成もまた本発明の範囲内である。さらに、端末装置３０の機能およびコンピュータシステム１０の機能の両方を一体的に組み込んだシステム（すなわち、スタンドアロン型のシステム）をコンピュータシステム１０として構築してもよい。このようなスタンドアロン型のコンピュータシステム１０もまた本発明の範囲内である。
【００８０】
また、図４に示される実施形態では、データベース部７０は、コンピュータシステム１０の外部に設けられているが、本発明はこれに限定されない。データベース部７０をコンピュータシステム１０の内部に設けることも可能である。データベース部７０は、単一のハードウェア部品で構成されていてもよいし、複数のハードウェア部品で構成されていてもよい。例えば、データベース部７０は、コンピュータシステム１０の単一の外付けハードディスク装置として構成されていてもよい。データベース部７０の構成は、特定のハードウェア構成には限定されない。さらに、会員データベース部７１、ポイントデータベース部７２、ウェブサイトデータベース部７３のそれぞれもまた、単一のハードウェア部品で構成されていてもよいし、複数のハードウェア部品で構成されていてもよい。会員データベース部７１、ポイントデータベース部７２、ウェブサイトデータベース部７３のそれぞれの構成は、特定のハードウェア構成には限定されない。コンピュータシステム１０のメモリ部６０が、データベース部７０の少なくとも一部を兼用する構成としてもよい。
【００８１】
図５Ａは、会員データベース部７１によって管理されている会員に関連する情報の構成の一例を示す。図５Ａに示される例では、会員に関連する情報は、会員レコードの形式で会員データベース部７１に格納されている。図５Ａに示される例では、会員レコード５１１は、会員識別子の項目５１０１と、会員レベルの項目５１０２と、会員登録日の項目５１０３と、個人情報データの項目５１０４と、身分証明データの項目５１０５と、収入証明データの項目５１０６とを含む。
【００８２】
会員が「正会員」である場合には、会員レベルの項目５１０２には「正会員」を示す値（例えば、「１」）が設定され、会員登録日の項目５１０３には「正会員」として登録された日付が設定され、収入証明データの項目５１０６には収入証明データが設定される（個人情報データの項目５１０４には個人情報データが設定されてもよいが設定されなくてもよい。身分証明データの項目５１０５には身分証明データが設定されてもよいが設定されなくてもよい）。
【００８３】
会員が「準会員」である場合には、会員レベルの項目５１０２には「準会員」を示す値（例えば、「２」）が設定され、会員登録日の項目５１０３には「準会員」として登録された日付が設定され、収入証明データの項目５１０６には収入証明データが設定される（個人情報データの項目５１０４には個人情報データが設定されてもよいが設定されなくてもよい。身分証明データの項目５１０５には身分証明データが設定されてもよいが設定されなくてもよい）。
【００８４】
会員が「一般会員」である場合には、会員レベルの項目５１０２には「一般会員」を示す値（例えば、「３」）が設定され、会員登録日の項目５１０３には「一般会員」として登録された日付が設定され、身分証明データの項目５１０５には身分証明データが設定される（個人情報データの項目５１０４には個人情報データが設定されてもよいが設定されなくてもよい。収入証明データの項目５１０５には身分証明データが設定されない）。
【００８５】
図５Ｂは、ポイントデータベース部７２によって管理されているポイントに関連する情報の構成の一例を示す。図５Ｂに示される例では、ポイントに関連する情報は、ポイントレコードの形式でポイントデータベース部７２に格納されている。図５Ｂに示される例では、ポイントレコード５２１は、会員識別子の項目５２０１と、ポイントの項目５２０２とを含む。
【００８６】
図５Ｃは、ウェブサイトデータベース部７３によって管理されているウェブサイトに関連する情報の構成の一例を示す。図５Ｃに示される例では、ウェブサイトに関連する情報は、ウェブサイトレコードの形式でウェブサイトデータベース部７３に格納されている。図５Ｃに示される例では、ウェブサイトレコード５３１は、会員識別子の項目５３０１と、会員挙動の項目５３０２と、会員嗜好の項目５３０３とを含む。ただし、会員挙動の項目５３０２および会員嗜好の項目５３０２のうちのいずれか一方を省略することも可能である。
【００８７】
４．コンピュータシステムにおける処理
図６Ａ〜図６Ｆは、コンピュータシステム１０内で実行される処理の一例を示す。この処理は、プロセッサ部５０によって実行される。この処理は、例えば、プログラムの形式でメモリ部６０に格納されている。プロセッサ部５０は、メモリ部６０に格納されているプログラムを読み出し、そのプログラムを実行する。
【００８８】
図６Ａは、「正会員の登録」に関連してコンピュータシステム１０内で実行される処理の一例を示す。以下、処理の各ステップを詳細に説明する。
【００８９】
ステップＳ６１０１：プロセッサ部５０は、契約を締結した個人の個人情報データ、身分証明データ、収入証明データを端末装置３０から受信するための処理を実行する。この端末装置３０は、典型的には、個人が契約を締結した契約相手先企業（例えば、会員運営企業）の社員によって操作される。
【００９０】
ステップＳ６１０２：プロセッサ部５０は、契約を締結した個人が「準会員」であるか否かを判定するための処理を実行する。この処理は、例えば、プロセッサ部５０が、会員データベース部７１に格納されている会員レコード５１１の会員レベルの項目５１０２の値を判定することによって達成される。会員レベルの項目５１０２の値が「準会員」を示す値（例えば、「２」）である場合には、判定結果は「Ｙｅｓ」である。この場合、処理はステップＳ６１０３に進む。判定結果が「Ｎｏ」である場合には、処理はステップＳ６１０６に進む。
【００９１】
ステップＳ６１０３：プロセッサ部５０は、会員データベース部７１に格納されている個人情報データ、身分証明データ、収入証明データを更新するための処理を実行する。この処理は、例えば、プロセッサ部５０が、会員データベース部７１に格納されている会員レコード５１１の個人情報データの項目５０１４の内容をステップＳ６１０１において受信された個人情報データに変更することと、会員データベース部７１に格納されている会員レコード５１１の身分証明データの項目５０１５の内容をステップＳ６１０１において受信された身分証明データに変更することと、会員データベース部７１に格納されている会員レコード５１１の収入証明データの項目５０１６の内容をステップＳ６１０１において受信された収入証明データに変更することとによって達成される。
【００９２】
ステップＳ６１０４：プロセッサ部５０は、会員データベース部７１に格納されている会員レベルを更新するための処理を実行する。この処理は、例えば、プロセッサ部５０が、会員データベース部７１に格納されている会員レコード５１１の会員レベルの項目５１０２の値を「正会員」を示す値（例えば、「１」）に更新することによって達成される。
【００９３】
ステップＳ６１０５：プロセッサ部５０は、会員データベース部７１に格納されている会員登録日を更新するための処理を実行する。この処理は、例えば、プロセッサ部５０が、会員データベース部７１に格納されている会員レコード５１１の会員登録日の項目５１０３の値を現在の日付に更新することによって達成される。
【００９４】
ステップＳ６１０６：プロセッサ部５０は、契約を締結した個人が「一般会員」であるか否かを判定するための処理を実行する。この処理は、例えば、プロセッサ部５０が、会員データベース部７１に格納されている会員レコード５１１の会員レベルの項目５１０２の値を判定することによって達成される。会員レベルの項目５１０２の値が「一般会員」を示す値（例えば、「３」）である場合には、判定結果は「Ｙｅｓ」である。この場合、処理はステップＳ６１０７に進む。判定結果が「Ｎｏ」である場合には、処理はステップＳ６１０８に進む。
【００９５】
ステップＳ６１０７：プロセッサ部５０は、会員データベース部７１に格納されている個人情報データ、身分証明データを更新し、収入証明データを会員データベース部７１に追加するための処理を実行する。この処理は、例えば、プロセッサ部５０が、会員データベース部７１に格納されている会員レコード５１１の個人情報データの項目５０１４の内容をステップＳ６１０１において受信された個人情報データに変更することと、会員データベース部７１に格納されている会員レコード５１１の身分証明データの項目５０１５の内容をステップＳ６１０１において受信された身分証明データに変更することと、会員データベース部７１に格納されている会員レコード５１１の収入証明データの項目５０１６の内容としてステップＳ６１０１において受信された収入証明データを追加することとによって達成される。ステップＳ６１０７の後に、処理はステップＳ６１０４に進む。
【００９６】
ステップＳ６１０８：プロセッサ部５０は、個人情報データ、身分証明データ、収入証明データを会員データベース部７１に追加するための処理を実行する。この処理は、例えば、プロセッサ部５０が、会員データベース部７１において新たに生成された会員レコード５１１の個人情報データの項目５０１４の内容としてステップＳ６１０１において受信された個人情報データを追加することと、新たに生成された会員レコード５１１の身分証明データの項目５０１５の内容としてステップＳ６１０１において受信された身分証明データを追加することと、新たに生成された会員レコード５１１の収入証明データの項目５０１６の内容としてステップＳ６１０１において受信された収入証明データを追加することとによって達成される。
【００９７】
ステップＳ６１０９：プロセッサ部５０は、会員レベルを設定するための処理を実行する。この処理は、例えば、プロセッサ部５０が、新たに生成された会員レコード５１１の会員レベルの項目５１０２の値に「正会員」を示す値（例えば、「１」）を設定することによって達成される。
【００９８】
ステップＳ６１１０：プロセッサ部５０は、会員登録日を設定するための処理を実行する。この処理は、例えば、プロセッサ部５０が、新たに生成された会員レコード５１１の会員登録日の項目５１０３の値に現在の日付を設定することによって達成される。
【００９９】
図６Ａに示される処理によれば、契約を締結した個人を「正会員」として登録することが可能である。さらに、図６Ａに示される処理によれば、コンピュータシステム１０は、契約を締結したことに応答して、会員データベース部７１に格納されている「正会員」に関連付けられたデータを更新することが可能であるように構成されている。これに加えて、コンピュータシステム１０は、契約を更新したことに応答して、会員データベース部７１に格納されている「正会員」に関連付けられたデータを更新することが可能であるように構成されていることが好ましい。
【０１００】
図６Ｂは、「準会員の登録」に関連してコンピュータシステム１０内で実行される処理の一例を示す。以下、処理の各ステップを詳細に説明する。
【０１０１】
ステップＳ６２０１：プロセッサ部５０は、「準会員」として登録されることを希望する個人の個人情報データ、身分証明データ、収入証明データを端末装置３０から受信するための処理を実行する。この端末装置３０は、「準会員」として登録されることを希望する個人によって操作されてもよいし、会員運営企業の社員によって操作されてもよい。
【０１０２】
ステップＳ６２０２：プロセッサ部５０は、「準会員」として登録されることを希望する個人が「一般会員」であるか否かを判定するための処理を実行する。この処理は、例えば、プロセッサ部５０が、会員データベース部７１に格納されている会員レコード５１１の会員レベルの項目５１０２の値を判定することによって達成される。会員データベース部７１に格納されている会員レベルの項目５１０２の値が「一般会員」を示す値（例えば、「３」）である場合には、判定結果は「Ｙｅｓ」である。この場合、処理はステップＳ６２０３に進む。判定結果が「Ｎｏ」である場合には、処理はステップＳ６２０６に進む。
【０１０３】
ステップＳ６２０３：プロセッサ部５０は、会員データベース部７１に格納されている個人情報データ、身分証明データを更新し、収入証明データを会員データベース部７１に追加するための処理を実行する。この処理は、例えば、プロセッサ部５０が、会員データベース部７１に格納されている会員レコード５１１の個人情報データの項目５０１４の内容をステップＳ６２０１において受信された個人情報データに変更することと、会員データベース部７１に格納されている会員レコード５１１の身分証明データの項目５０１５の内容をステップＳ６２０１において受信された身分証明データに変更することと、会員データベース部７１に格納されている会員レコード５１１の収入証明データの項目５０１６の内容としてステップＳ６２０１において受信された収入証明データを追加することとによって達成される。
【０１０４】
ステップＳ６２０４：プロセッサ部５０は、会員レベルを更新するための処理を実行する。この処理は、例えば、プロセッサ部５０が、会員データベース部７１に格納されている会員レコード５１１の会員レベルの項目５１０２の値を「準会員」を示す値（例えば、「２」）に更新することによって達成される。
【０１０５】
ステップＳ６２０５：プロセッサ部５０は、会員登録日を更新するための処理を実行する。この処理は、例えば、プロセッサ部５０が、会員データベース部７１に格納されている会員レコード５１１の会員登録日の項目５１０３の値を現在の日付に更新することによって達成される。
【０１０６】
ステップＳ６２０６：プロセッサ部５０は、個人情報データ、身分証明データ、収入証明データを会員データベース部７１に追加するための処理を実行する。この処理は、例えば、プロセッサ部５０が、会員データベース部７１において新たに生成された会員レコード５１１の個人情報データの項目５０１４の内容としてステップＳ６２０１において受信された個人情報データを追加することと、新たに生成された会員レコード５１１の身分証明データの項目５０１５の内容としてステップＳ６２０１において受信された身分証明データを追加することと、新たに生成された会員レコード５１１の収入証明データの項目５０１６の内容としてステップＳ６２０１において受信された収入証明データを追加することとによって達成される。
【０１０７】
ステップＳ６２０７：プロセッサ部５０は、会員レベルを設定するための処理を実行する。この処理は、例えば、プロセッサ部５０が、新たに生成された会員レコード５１１の会員レベルの項目５１０２の値に「準会員」を示す値（例えば、「２」）を設定することによって達成される。
【０１０８】
ステップＳ６２０８：プロセッサ部５０は、会員登録日を設定するための処理を実行する。この処理は、例えば、プロセッサ部５０が、新たに生成された会員レコード５１１の会員登録日の項目５１０３の値に現在の日付を設定することによって達成される。
【０１０９】
図６Ｂに示される処理によれば、「個人情報データ」、「身分証明データ」、「収入証明データ」を提出した個人を「準会員」として登録することが可能である。さらに、コンピュータシステム１０は、所定のタイミングで（例えば、２年ごとに）会員データベース部７１に格納されている「準会員」に関連付けられたデータを更新することが可能であるように構成されていることが好ましい。
【０１１０】
図６Ｃは、「一般会員の登録」に関連してコンピュータシステム１０内で実行される処理の一例を示す。以下、処理の各ステップを詳細に説明する。
【０１１１】
ステップＳ６３０１：プロセッサ部５０は、「一般会員」として登録されることを希望する個人の個人情報データ、身分証明データを端末装置３０から受信するための処理を実行する。この端末装置３０は、「一般会員」として登録されることを希望する個人によって操作されてもよいし、会員運営企業の社員によって操作されてもよい。
【０１１２】
ステップＳ６３０２：プロセッサ部５０は、個人情報データ、身分証明データを会員データベース部７１に追加するための処理を実行する。この処理は、例えば、プロセッサ部５０が、会員データベース部７１において新たに生成された会員レコード５１１の個人情報データの項目５０１４の内容としてステップＳ６３０１において受信された個人情報データを追加することと、新たに生成された会員レコード５１１の身分証明データの項目５０１５の内容としてステップＳ６３０１において受信された身分証明データを追加することとによって達成される。
【０１１３】
ステップＳ６３０３：プロセッサ部５０は、会員レベルを設定するための処理を実行する。この処理は、例えば、プロセッサ部５０が、新たに生成された会員レコード５１１の会員レベルの項目５１０２の値に「一般会員」を示す値（例えば、「３」）を設定することによって達成される。
【０１１４】
ステップＳ６３０４：プロセッサ部５０は、会員登録日を設定するための処理を実行する。この処理は、例えば、プロセッサ部５０が、新たに生成された会員レコード５１１の会員登録日の項目５１０３の値に現在の日付を設定することによって達成される。
【０１１５】
図６Ｃに示される処理によれば、「個人情報データ」、「身分証明データ」を提出した個人を「一般会員」として登録することが可能である。
【０１１６】
なお、図６Ａ〜図６Ｃに示される実施形態では、個人と契約相手先企業との間で締結される契約が、個人情報データ、身分証明データ、収入証明データを必要とするものであるとして説明した。ただし、本発明はこれに限定されない。個人と契約相手先企業との間で締結される契約は、収入証明データを少なくとも必要とするものであれば足りる。例えば、その契約が、収入証明データのみを必要とするものである場合には、図６Ａに示されるステップＳ６１０１において、プロセッサ部５０は、その契約を締結した個人の収入証明データを端末装置３０から受信するための処理を実行すれば足りる。この場合には、ステップＳ６１０３において、プロセッサ部５０は、会員データベース部７１に格納されている収入証明データを更新するための処理を実行すれば足り、ステップＳ６１０７、Ｓ６１０８において、プロセッサ部５０は、収入証明データを会員データベース部７１に追加するための処理を実行すれば足りる。例えば、その契約が、身分証明データおよび収入証明データのみを必要とするものである場合には、図６Ａに示されるステップＳ６１０１において、プロセッサ部５０は、その契約を締結した個人の身分証明データおよび収入証明データを端末装置３０から受信するための処理を実行すれば足りる。この場合には、ステップＳ６１０３において、プロセッサ部５０は、会員データベース部７１に格納されている身分証明データおよび収入証明データを更新するための処理を実行すれば足り、ステップＳ６１０７において、プロセッサ部５０は、会員データベース部７１に格納されている身分証明データを更新し、収入証明データを会員データベース部７１に追加するための処理を実行すれば足り、ステップＳ６１０８において、プロセッサ部５０は、身分証明データおよび収入証明データを会員データベース部７１に追加するための処理を実行すれば足りる。図６Ｂ、図６Ｃに示されるステップにおいても、同様である。
【０１１７】
図６Ｄは、「ポイントの失効」に関連してコンピュータシステム１０内で実行される処理の一例を示す。以下、処理の各ステップを詳細に説明する。
【０１１８】
ステップＳ６４０１：プロセッサ部５０は、会員の登録から所定の時間（例えば、２年）が経過したか否かを判定する処理を実行する。この処理は、例えば、プロセッサ部５０が、会員データベース部７１に格納されている会員レコード５１１の会員登録日の項目５１０３の値を読み出することと、この値に基づいて会員登録日からの経過時間を計算することと、計算された経過時間が所定の時間を超過したか否かを判定することとによって達成される。判定結果が「Ｙｅｓ」である場合には、処理はステップＳ６４０２に進み、判定結果が「Ｎｏ」である場合には、処理は終了する。
【０１１９】
ステップＳ６４０２：プロセッサ部５０は、その会員に関連付けられたポイントを失効させるための処理を実行する。この処理は、例えば、プロセッサ部５０が、ポイントデータベース部７４に格納されているポイントレコード５２１のポイントの項目５２０２の値（その会員に関連付けられたポイントの項目５２０２の値）をゼロにリセットすることによって達成される。
【０１２０】
ステップＳ６４０３：プロセッサ部５０は、ポイントが失効した会員を一般会員に降格させるための処理を実行する。この処理は、例えば、プロセッサ部５０が、会員データベース部７１に格納されている会員レコード５１１の会員レベルの項目５１０２の値（その会員に関連付けられた会員レベルの項目５１０２の値）を「一般会員」を示す値（例えば、「３」）に更新することと、その会員レコード５１１の会員登録日の項目５１０３の値（その会員に関連付けられた会員登録日の項目５１０３の値）に現在の日付を設定することとによって達成される。
【０１２１】
図６Ｄに示される処理によれば、会員の登録から所定の時間が経過すると、その会員に関連付けられたポイントを失効させることが可能である。また、ポイントが失効した「正会員」および「準会員」を「一般会員」に降格させることが可能である。
【０１２２】
図６Ｅは、「ポイントの加算」に関連してコンピュータシステム１０内で実行される処理の一例を示す。以下、処理の各ステップを詳細に説明する。
【０１２３】
ステップＳ６５０１：プロセッサ部５０は、会員がウェブサイトに掲載されている少なくとも１つの記事のうちの１つを既読にしたまたは評価したことを示す信号を端末装置３０から受信するための処理を実行する。
【０１２４】
ステップＳ６５０２：プロセッサ部５０は、その信号を受信したことに応答して、その会員に関連付けられたポイントの値を増加させるための処理を実行する。この処理は、例えば、プロセッサ部５０が、その信号を受信したことに応答して、ポイントデータベース部７２に格納されているポイントレコード５２１のポイント項目５２０２の値（その会員に関連付けられたポイント項目５２０２の値）を増加させることによって達成される。
【０１２５】
図６Ｅに示される処理によれば、会員がウェブサイトに掲載されている少なくとも１つの記事のうちの１つを既読にしたまたは評価したことに応答して、その会員に関連付けられたポイントを増加させることが可能である。
【０１２６】
図６Ｆは、「ポイントの換金」に関連してコンピュータシステム１０内で実行される処理の一例を示す。以下、処理の各ステップを詳細に説明する。
【０１２７】
ステップＳ６６０１：プロセッサ部５０は、「正会員」に関連付けられたポイントが所定の値（例えば、１０，０００ポイント）を超えたか否かを判定するための処理を実行する。この処理は、例えば、プロセッサ部５０が、ポイントデータベース部７２に格納されているポイントレコード５２１のポイント項目５２０２の値（正会員に関連付けられたポイント項目５２０２の値）を読み出すことと、その読み出された値と所定の値とを比較することとによって達成される。判定結果が「Ｙｅｓ」である場合には、処理はステップＳ６６０２に進み、判定結果が「Ｎｏ」である場合には処理が終了する。
【０１２８】
ステップＳ６６０２：プロセッサ部５０は、「正会員」に関連付けられたポイントが所定の値（例えば、１０，０００ポイント）を超えたことを示すメッセージを会員運営企業内の端末装置３０に通知するための処理を実行する。この処理は、例えば、プロセッサ部５０が、インターフェース部４０を介してそのようなメッセージを端末装置３０に送信することによって達成される。
【０１２９】
図６Ｆに示される処理によれば、会員運営企業の社員は、「正会員」に関連付けられたポイントが所定の値（例えば、１０，０００ポイント）を超えたことを知ることができる。会員運営企業の社員は、所定のポイント値（例えば、１０，０００ポイント）に相当する現金（例えば、１０００円）を「正会員」の指定口座に振り込むための手続を行う。これにより、所定のポイント値に相当する現金が「正会員」にキャッシュバックされる。
【０１３０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【０１３１】
本発明は、従来よりも高いレベルの個人情報によって身元保証された会員の数の増加を促進することを可能にするコンピュータシステム、そのコンピュータシステムにおいて実行される方法およびプログラム等を提供するものとして有用である。
【符号の説明】
【０１３２】
１０    コンピュータシステム
２０    端末装置
３０    インターネット
４０    インターフェース部
５０    プロセッサ部
６０    メモリ部
７０    データベース部
【要約】
【課題】従来よりも高いレベルの個人情報によって身元保証された会員の数の増加を促進することを可能にするコンピュータシステム等を提供すること。
【解決手段】コンピュータシステム１０は、契約を締結した第１の個人を正会員として登録する手段であって、正会員は、ポイントをある使用条件下で使用することが可能であり、その契約は、第１の個人の収入証明データを少なくとも必要とする、手段と、契約を締結していない第２の個人の収入証明データを受信したことに応答して、第２の個人を準会員として登録する手段であって、準会員は、ポイントを正会員の使用条件よりも制限された使用条件下で使用することが可能である、手段とを含む。
【選択図】図４【図１Ａ】
0005988465.tif 000002
【図１Ｂ】
0005988465.tif 000003
【図２Ａ】
0005988465.tif 000004
【図２Ｂ】
0005988465.tif 000005
【図３】
0005988465.tif 000006
【図４】
0005988465.tif 000007
【図５Ａ】
0005988465.tif 000008
【図５Ｂ】
0005988465.tif 000009
【図５Ｃ】
0005988465.tif 000010
【図６Ａ】
0005988465.tif 000011
【図６Ｂ】
0005988465.tif 000012
【図６Ｃ】
0005988465.tif 000013
【図６Ｄ】
0005988465.tif 000014
【図６Ｅ】
0005988465.tif 000015
【図６Ｆ】
0005988465.tif 000016